(57)【要約】【課題】  一旦捕捉した浮きをより確実に引き上げることができる浮き回収具を提供する。【解決手段】  回収不能となった浮き(50)に向かって投てきし、当該浮き(50)を回収するための浮き回収具である。浮き回収用ライン(10)を一端であるライン固定部(21)へ連結される棒状の軸材(20)と、そのライン固定部(21)と反対端に固定される錐形の基体(30)と、その基体(30)を中心として放射状に固定される複数の骨材(40)と、を備える。  その骨材(40)の一部または全部は、その軸方向とは異なる方向を軸方向とした骨材(40)よりも短い枝材(45)を備える。【選択図】  図１
2015065866.tif 000002
【特許請求の範囲】
【請求項１】
回収不能となった浮きに向かって投てきし、当該浮きを回収するための浮き回収具であって、
浮き回収用ラインを一端であるライン固定部へ連結される棒状の軸材と、
そのライン固定部と反対端に固定される錐形の基体と、
その基体を中心として放射状に固定される複数の骨材と、を備え、
その骨材の一部または全部は、その軸方向とは異なる方向を軸方向とした骨材よりも短い枝材を備えた浮き回収具。
【請求項２】
回収不能となった浮きに向かって投てきし、当該浮きを回収するための浮き回収具であって、
浮き回収用ラインを一端であるライン固定部へ連結される棒状の軸材と、
そのライン固定部と反対端に固定される錐形の基体と、
その基体を中心として放射状に固定される複数の骨材と、を備え、
その骨材の一部または全部は、スパイラル形状をなす浮き回収具。
【請求項３】
回収不能となった浮きに向かって投てきし、当該浮きを回収するための浮き回収具であって、
浮き回収用ラインを一端であるライン固定部へ連結される棒状の軸材と、
そのライン固定部と反対端に固定される錐形の基体と、
その基体を中心として放射状に固定される複数の骨材と、を備え、
その骨材の一部または全部は、その軸方向に対して蛇行した形状をなす浮き回収具。
【請求項４】
基体を前方として水に沈むこととした請求項１から請求項３のいずれかに記載の浮き回収具。
【請求項５】
沈下速度が１ｃｍ〜３０ｃｍ／秒であることとした請求項４記載の浮き回収器。
【発明の詳細な説明】
【技術分野】
【０００１】
本発明は、水に浮かんだ状態の浮きや、根掛かりで水中に沈んだ状態で留まってしまう浮きを、たぐり寄せて回収できる浮き回収具の改良に関する。
【背景技術】
【０００２】
釣りの最中に生じたトラブルによって、釣り竿にて浮きを操作できなくなることがある。このような場合に、浮きを回収するための浮き回収具がある。典型的な浮き回収具は、特許文献１や特許文献２に開示されている。
図６に基づいて、典型的な従来の浮き回収器について説明する。
【０００３】
浮き回収器は、円錐形の基体３０と、その基体３０における円の面から傘のように放射状に突出する複数の棒状の骨材４０と、基体３０の円錐形における軸方向に伸びるように基体３０へ固定された棒状の軸材２０と、を備えてなる。軸材２０における基体３０とは反対側端部には、釣り糸（浮き回収用ライン）１０を結ぶ。そして、回収したい浮き５０に向かって基体３０を投げる。複数の骨材４０で囲まれた懐へ浮き５０を収め、釣り糸１０を巻き上げて拾い上げていた。
特許文献１や特許文献２に開示された浮き回収器は、浮力体を備えているので、水に浮かんだ状態で浮きと浮き回収器の両方の位置を確認しながら効率よくキャッチできる。
【０００４】
さて、根掛かりによって糸切れが生じた場合、浮きが釣り糸についたままになっていると、浮きが水中に沈んだ状態で留まってしまうことがあり、水に浮く浮き回収器では回収することができない。そこで、特許文献３に開示された浮き回収具は、水に沈む構成を備えることで、根掛かりで水中に沈んだ状態で留まってしまう浮きであっても回収できる。
【先行技術文献】
【特許文献】
【０００５】
【特許文献１】実公昭５９−６８０号公報
【特許文献２】実開平６−８４８６４号公報
【特許文献３】特開２００２−２７２３４０号公報
【発明の概要】
【発明が解決しようとする課題】
【０００６】
水に浮かんだ状態、水中に留まった状態の何れであっても、浮きの表面は滑らかなものがほとんどである。そのため、骨材の一部に浮きが引っ掛かったとしても、滑って抜けてしまうことが少なからずあった。
【０００７】
本発明が解決しようとする課題は、いったん引っ掛けた浮きを確保しやすい浮き回収具を提供することにある。
【課題を解決するための手段】
【０００８】
（第一の発明）
第一の発明は、  回収不能となった浮き(50)に向かって投てきし、当該浮き(50)を回収するための浮き回収具に係る。
すなわち、浮き回収用ライン(10)を一端であるライン固定部(21)へ連結される棒状の軸材(20)と、  そのライン固定部(21)と反対端に固定される錐形の基体(30)と、  その基体(30)を中心として放射状に固定される複数の骨材(40)と、を備え、  その骨材(40)の一部または全部は、その軸方向とは異なる方向を軸方向とした骨材(40)よりも短い枝材(45)を備えた浮き回収具である。
【０００９】
（用語説明）
「枝材(45)」とは、骨材(40)を幹とした場合にその幹から分かれる枝となる部位である。骨材(40)の軸方向と直角となるもの、骨材(40)の軸方向と鋭角をなすもの、鈍角をなすもの、などがある。枝材(45)の軸方向は直線でなくても良い。
なお、全ての骨材(40)に枝材(45)を備えていなくても良い。たとえば、一本おきに枝材(45)の無い骨材(40)を備えることとしても良い。
浮き回収具の材質は、ポリエチレン、ポリ塩化ビニ−ル、ポリカーボネ−ト等の合成樹脂でもよいし、アルミ、チタン、ステンレス等の金属でもよい。また、両者を組み合せて形成しても良い。たとえば、蓄光性を有する合成樹脂を採用して浮き回収具を形成した場合、光って見えるため夜間でも視認性が良い。
【００１０】
（作用）
釣り人は、軸材(20)のライン固定部(21)へ浮き回収用ライン(10)を連結し、浮き回収用ライン(10)の他端を手に持つ。そして、本発明に係る浮き回収具を、回収不能となった浮き(50)に向かって投てきする。通常は、釣り人から見て浮き(50)よりも遠い位置へ投てきする。
浮き回収具が水に着いたら浮き回収用ライン(10)を引っ張る。すると、骨材(40)における基体(30)とは反対端が水の抵抗を受けて広がり、浮き(50)を引っ掛けやすくなる。浮き(50)を引っ掛けると枝材(45)が浮き(50)に絡み、浮き回収用ライン(10)を引っ張っても浮き(50)が抜けにくくなる。そのため、回収に成功しやすくなる。
【００１１】
（第二の発明）
第二の発明もまた、回収不能となった浮き(50)に向かって投てきし、当該浮き(50)を回収するための浮き回収具に係る。
すなわち、浮き回収用ライン(10)を一端であるライン固定部(21)へ連結される棒状の軸材(20)と、  そのライン固定部(21)と反対端に固定される錐形の基体(30)と、  その基体(30)を中心として放射状に固定される複数の骨材(41)と、を備える。
第二の発明は第一の発明と異なり、骨材(41)に枝材(45)を備えておらず、骨材(41) の一部または全部は、スパイラル形状をなす。
全ての骨材がスパイラル形状ではなくてもよい。たとえば、一本おきにストレートな骨材を配置することとしても良い。
【００１２】
（作用）
第一の発明においては、浮き(50)を引っ掛けると枝材(45)が浮き(50)に絡んだが、第二の発明においては、スパイラル形状をなす骨材(41)が浮きに絡むことで、浮き回収用ライン(10)を引っ張っても浮き(50)が抜けにくくなる。
【００１３】
（第三の発明）
第三の発明もまた、回収不能となった浮き(50)に向かって投てきし、当該浮き(50)を回収するための浮き回収具に係る。
すなわち、浮き回収用ライン(10)を一端であるライン固定部(21)へ連結される棒状の軸材(20)と、  そのライン固定部(21)と反対端に固定される錐形の基体(30)と、  その基体(30)を中心として放射状に固定される複数の骨材と、を備える。
第三の発明もまた第一の発明と異なり、枝材(45)を備えておらず、骨材の一部または全部は、その軸方向に対して蛇行した形状をなす。
ここでも全ての骨材が蛇行した形状ではなくてもよく、たとえば一本おきにストレートな骨材を配置することとしても良い。
【００１４】
（作用）
第二の発明においては、スパイラル形状をなす骨材(41)が浮きに絡んだが、第三の発明においては、軸方向に対して蛇行した形状をなす骨材が浮きに絡むことで、浮き回収用ライン(10)を引っ張っても浮き(50)が抜けにくくなる。
【００１５】
（第一から第三の発明のバリエーション１）
第一から第三の発明に係る浮き回収具は、基体(30)を前方として水に沈むこととして形成しても良い。
たとえば、軸材(20)および基体(30)を金属製とし、他の部位を熱可塑性樹脂にて形成する。
【００１６】
釣り人から見て、水中に没している浮き(50)よりも遠い位置へ投てきし、浮き回収具が水に着いて沈み、水中に没している浮き(50)よりも低い位置まで沈んだら、浮き回収用ライン(10)を引っ張る。すると、骨材(40)における基体(30)とは反対端が広がり、水中に没している浮き(50)を引っ掛け、回収することができる。
たとえば、根掛かりしてしまった浮き(50)や、水中にとどまるルアーなどを回収するのに寄与する。
【００１７】
（第一から第三の発明のバリエーション２）
前述したバリエーション１においては、沈下速度が１ｃｍ〜３０ｃｍ／秒とすると、より好ましい。
釣り人が水中に没した浮き(50)を回収するのに、扱いやすい沈下速度だからである。これ以上遅いと流れて浮き６の位置合わせが難しくこれ以上速いと浮き回収器Ａを引き寄せても水面を引きずることが困難となる。なお、最も好ましくは５ｃｍ〜２０ｃｍ／秒である。
【００１８】
浮き回収具を引き寄せる速度を沈下速度よりも速くすることで、水面に浮いたままの浮きを回収することも可能である。
【発明の効果】
【００１９】
本発明によれば、いったん引っ掛けた浮きを確保しやすい浮き回収具を提供できる。
【図面の簡単な説明】
【００２０】
【図１】第一の実施形態を示す斜視図である。
【図２】第一の実施形態における水面およびその上下を横から見た図である。
【図３】第一の実施形態における骨材、枝材および浮きの関係を示す図である。
【図４】骨材および枝材のバリエーションを示す部分拡大図である。
【図５】骨材および枝材が、基体に対してどのように配置するかのバリエーションを示す平面図である。
【図６】従来の一般的な浮き回収具を示す図である。
【発明を実施するための形態】
【００２１】
以下、本発明を実施形態に基づいて説明する。実施形態を示すのは図１から図５である。
【００２２】
図1から図３に示すのは、回収不能となった浮き５０に向かって投てきし、当該浮き５０を回収するための浮き回収具である。
この浮き回収具は、浮き回収用ライン１０を一端であるライン固定部２１へ連結される棒状の軸材２０と、  そのライン固定部２１と反対端に固定される錐形の基体３０と、  その基体３０を中心として放射状に固定される複数の骨材４０と、を備える。そして、その骨材４０および前記軸材２０には、それらの軸方向とは異なる方向を軸方向とした骨材４０よりもはるかに短い枝材４５を備える。
枝材４５は、基体３０へ向かって広がる方向へ伸びるとともに、先端付近は骨材４０の軸方向と平行となるように曲げられている。
【００２３】
本実施形態における軸材２０，基体３０、骨材４０および枝材４５は、全て同一素材、たとえば熱可塑性樹脂の押し出し成形、射出成形などで形成する。熱可塑性樹脂の選択によって比重を１．０以下とすることで水に浮くように形成している。蛍光色としたり、蓄光性のある素材を合成樹脂に含有させて成型し、夜間での視認性を高めたものが望ましい。
【００２４】
製造手順の一例を以下に示す。
すなわち、錘形をなす基体３０における円面部分の周囲に沿って、骨材４０の一端を挿入するための穴を備えておき、骨材４０の一端を挿入したら適宜の接着剤や樹脂にて固める。基体３０における円面部分の中心にも、軸材２０の一端を挿入するための穴を備えておき、軸材２０の一端を挿入したら適宜の接着剤や樹脂にて固める。
【００２５】
浮き回収具を形成する素材に関しては、熱可塑性樹脂の選択によって比重を１．０以下とすることで水に浮くように形成しているものが多い。しかし、それに限られない。
たとえば、基体３０および軸材２０を金属製として全体が水に沈むように形成した浮き回収具とすれば、投てき距離を伸ばしやすい。また、根掛かりなどで水中にとどまってしまった浮き５０やルアーを回収する場合に望ましい。
【００２６】
基体３０および軸材２０を金属製としても、中空部分を備えることで、全体の比重や水中での沈下速度を調整したりすることもある。
沈下速度が１ｃｍ〜３０ｃｍ／秒とすると、釣り人が水中に没した浮き５０を回収するのに扱いやすい。
【００２７】
上記の実施形態に係る浮き回収具の作用を、図１から図３とともに説明する。
釣り人は、軸材２０のライン固定部２１へ浮き回収用ライン１０を連結し、浮き回収用ライン１０の他端を手に持つ。そして、本発明に係る浮き回収具を、回収不能となった浮き５０に向かって投てきする。通常は、釣り人から見て浮き５０よりも遠い位置へ投てきする。
浮き回収具が水に着いたら浮き回収用ライン１０を引っ張る。すると、骨材４０における基体３０とは反対端が水の抵抗を受けて広がり、浮き５０を引っ掛けやすくなる。浮き５０を引っ掛けると骨材４０および軸材２０に設けられた枝材４５が浮き５０に絡み、浮き回収用ライン１０を引っ張っても浮き５０が抜けにくくなる。そのため、回収に成功しやすくなる。
【００２８】
上記した実施形態では、骨材４０のみならず軸材２０にも枝材４５を備えたとして説明したが、軸材２０は、骨材４０よりも太く、あるいは上部に形成する必要があるなど、製造上の理由から枝材を備えない場合もある。
また、上記した実施形態では、全ての骨材４０に枝材４５を備えたとして説明したが、たとえば、１本おきに枝材を設けない骨材を配置固定する浮き回収具を提供する場合もある。
【００２９】
（図４）
図４（ａ）〜（ｅ）に基づいて、枝材４５のバリエーションを説明する。図中の左上方向が基材３０の位置することとなる方向である。
図４（ａ）に示したのは、図１から図３に示した枝材４５よりも骨材４０となす角度が大きく、形状もまっすぐな枝材４５Ａとなっている。
図４（ｂ）に示したのは、図４（ａ）に示した枝材４５Ａと形状は同じである。図４（ａ）に示した枝材４５Ａが骨材４０の軸方向と線対称としているのに対して、図４（ｂ）に示した枝材４５Ａは、非対称であり、軸方向に交互となるように位置している。
【００３０】
図４（ｃ）に示した枝材４５Ｂは、図４（ａ）に示した枝材４５Ａと形状は同じである。図４（ａ）に示した枝材４５Ａが骨材４０の軸方向に対して斜めであるが、図４（ｃ）に示した枝材４５Ｂは、骨材４０の軸方向と直角をなす方向であって、且つ骨材４０の軸方向と線対称ではない。
図４（ｄ）に示した枝材４５Ｂは、図４（ｃ）に示した枝材４５Ｂと同じ形状および角度であり、且つ骨材４０の軸方向と線対称としている。
【００３１】
図４（ｅ）に示した枝材４５Ｃは、図４（ｂ）に示した枝材４５Ａの変形例である。すなわち、広がる方向を基材３０とは反対方向としており、且つ骨材４０の軸方向と非対称である。
【００３２】
図４（ｆ）に示したのは、枝材を存在させずに浮き５０の回収を容易とする形状として、スパイラル形状の骨材４１を採用したものである。
このスパイラル形状の骨材４１は枝材が無いので、骨材４１の素材選択などの条件によっては、枝材が存在することとした実施形態に係る浮き回収具よりも製造しやすい場合がある。
【００３３】
図には示していないが、スパイラル形状の骨材４１と同趣旨、すなわち、枝材を存在させずに浮き５０の回収を容易とする形状として、長手方向に対して蛇行した形状の骨材を採用することも可能である。
【００３４】
図４（ａ）〜（ｅ）に示したいずれの枝材が良いかについては、回収したい浮き５０の種類や形状によって選択される。
なお、枝材の種類は、図４（ａ）〜（ｅ）に示したのは例示であり、本願発明がこれらの種類に限られることを意図するものではない。
【００３５】
（図５）
図５に示すのは、浮き回収具の平面形状に対して枝材４５をどのような向きとするか、について、２つのパターンを示したものである。
図５（ａ）に示したのは、軸材２０の軸方向に垂直な断面形状において、枝材４５が円周方向へ沿うように骨材４０を基材３０へ固定したものである。
図５（ｂ）に示したのは、軸材２０の軸方向に垂直な断面形状において、枝材４５が軸材２０に向かう方向となるように骨材４０を基材３０へ固定したものである。
図５（ａ）、（ｂ）のいずれがよいかは、回収したい浮き５０の種類や形状によって選択される。また、骨材４０を基材３０へ固定するものの、骨材４０を軸周りに回転可能に形成することで、図５（ａ）、（ｂ）のいずれをも選択可能な実施形態を提供しても良い。
【産業上の利用可能性】
【００３６】
本発明は、釣り具の製造業、釣り具のレンタル業、アウトドアスポーツのインストラクター事業などにおいて、利用可能性を有する。
【符号の説明】
【００３７】
１０；  浮き回収用ライン
２０；  軸材                  ２１；  ライン固定部
３０；  基体
４０；  骨材（ストレート）
４１；  骨材（スパイラル）
４５，４５Ａ，４５Ｂ，４５Ｃ  ；  枝材
５０；  浮き
【図１】
2015065866.tif 000003
【図２】
2015065866.tif 000004
【図３】
2015065866.tif 000005
【図４】
2015065866.tif 000006
【図５】
2015065866.tif 000007
【図６】
2015065866.tif 000008